(57)【要約】【課題】階段の上り口側の床面の範囲を小さくすることができる階段用床構造を提供すること。【解決手段】建物ユニット（建物）Ａ２内に設置される階段２の上り口２ａ側に位置し、この階段２の一対の階段桁３、３を支持する階段用床構造１であって、建物ユニットＡ２を構成する床梁（構造体）４から片持ち状態で延在された床フレーム１０、１０と、床フレーム１０、１０上に位置する床板部材２０とを有し、一対の階段桁３、３の下端部３ａ、３ａは、それぞれ床板部材２０を貫通すると共に、床フレーム１０、１０に固定されている。【選択図】図３
2008291425.tif 000002
【特許請求の範囲】
【請求項１】
建物内に設置される階段の上り口側に位置し、この階段の一対の階段桁を支持する階段用床構造であって、
前記建物を構成する構造体から片持ち状態で延在された床フレームと、該床フレーム上に位置する床板部材とを有し、
前記一対の階段桁の下端部は、それぞれ前記床板部材を貫通すると共に、前記床フレームに固定されていることを特徴とする階段用床構造。
【請求項２】
前記床フレームは、少なくとも一対設けられると共に、それぞれが連結部材によって連結されていることを特徴とする請求項１に記載の階段用床構造。
【請求項３】
前記床フレームには振動抑制装置が設けられ、前記一対の階段桁の下端部は、前記振動抑制装置を介して前記床フレームに固定されていることを特徴とする請求項１又は請求項２に記載の階段用床構造。
【請求項４】
前記床フレームは、一対設けられると共に、それぞれに振動抑制装置が設けられ、前記一対の階段桁の下端部は、前記振動抑制装置を介して前記床フレームに固定されていることを特徴とする請求項１に記載の階段用床構造。
【請求項５】
前記床フレームは、重量鉄骨に準じた強度を有する部材により構成されることを特徴とする請求項１から４のいずれか一項に記載の階段用床構造。
【発明の詳細な説明】
【技術分野】
【０００１】
本発明は、建物内に設置される階段の上り口側に位置して、この階段を支持する階段用床構造に関するものである。
【背景技術】
【０００２】
従来から、建物内に階段を設置する際には、この階段の上り口側に位置して階段桁を支持する階段用床構造が必要となっていた。
【０００３】
ここで、２階以上の階に設けられる階段用床構造では、建物を構成する大梁に固定された複数の小梁間に床フレームが架け渡され、この床フレームに振動抑制用のダンパーＤを介して階段桁の下端部が固定されるようになっている（例えば、特許文献１参照）。
【０００４】
そして、この床フレーム及び小梁を覆うように床板部材が設けられて、階段上り口側の床面が形成されていた。
【特許文献１】特開２００６−１５２６２１号公報
【発明の開示】
【発明が解決しようとする課題】
【０００５】
ところで、上述の階段用床構造では、階段桁を支持する床フレームが小梁間に架け渡されているため、この床フレームを支持する小梁をも床板部材によって覆う必要があり、これらの床フレーム、小梁及び床板部材によって構成される床面が広範囲に亘るようになっていた。
【０００６】
特に、吹抜け空間の上方に階段を設置する場合では、床面が大きくなるので吹抜け部分が狭くなってしまうことが考えられる。
【０００７】
そこで、この発明は、階段の上り口側の床面の範囲を小さくすることができる階段用床構造を提供することを課題としている。
【課題を解決するための手段】
【０００８】
上記課題を解決するために、本願請求項１に記載の発明は、建物内に設置される階段の上り口側に位置し、この階段の一対の階段桁を支持する階段用床構造であって、前記建物を構成する構造体から片持ち状態で延在された床フレームと、該床フレーム上に位置する床板部材とを有し、前記一対の階段桁の下端部は、それぞれ前記床板部材を貫通すると共に、前記床フレームに固定されていることを特徴とする。
【０００９】
また、本願請求項２の発明は、請求項１に記載の階段用床構造において、前記床フレームは、少なくとも一対設けられると共に、それぞれが連結部材によって連結されていることを特徴とする。
【００１０】
また、本願請求項３の発明は、請求項１又は２に記載の階段用床構造において、前記床フレームには振動抑制装置が設けられ、前記一対の階段桁の下端部は、前記振動抑制装置を介して前記床フレームに固定されていることを特徴とする。
【００１１】
また、本願請求項４の発明は、請求項１に記載の階段用床構造において、前記床フレームは、一対設けられると共に、それぞれに振動抑制装置が設けられ、前記一対の階段桁の下端部は、前記振動抑制装置を介して前記床フレームに固定されていることを特徴とする。
【００１２】
また、本願請求項５の発明は、請求項１から４のいずれか一項に記載の階段用床構造において、前記床フレームは、重量鉄骨に準じた強度を有する部材により構成されることを特徴とする。
【発明の効果】
【００１３】
請求項１の発明では、床板部材が片持ち状態で建物の構造体から張り出した床フレームの上のみに位置するようになっている。
【００１４】
そのため、これらの床フレーム及び床板部材によって構成される階段の上り口側の床面の範囲を小さくすることができる。
【００１５】
特に、吹抜け空間の上方に階段を設置する場合であっても、この吹抜け空間を狭めることなく階段を設置することが可能となる。
【００１６】
請求項２の発明では、少なくとも一対の床フレームが連結部材によって連結されているので、階段から伝達される荷重や振動等をすべての床フレームで分散して支持することができ、より安定して階段を支持することが可能となる。
【００１７】
請求項３の発明では、振動抑制装置を介して階段桁を床フレームに固定することにより、階段昇降時に生じる振動を効果的に抑制することができ、階段特性の異なる階段を取り付けることが可能となる。
【００１８】
特に、少なくとも一対設けられた床フレームが連結部材によって連結されている場合では、すべての振動抑制装置によって昇降時の振動を抑制することが可能となる。
【００１９】
請求項４の発明では、独立した一対の床フレームのそれぞれに振動抑制装置が設けられているので、階段形状や昇降動作の個人差等により、それぞれの階段桁に不均等に作用した荷重や振動等を分散せずに個別に吸収することができる。
【００２０】
これにより、階段昇降時に生じる振動をより抑制することができると共に、各床フレームに作用する荷重を小さくすることができる。
【００２１】
請求項５の発明では、床フレームを重量鉄骨に準じた強度を有する部材により構成することで、階段を支持するための十分な強度を容易に確保できる。
【発明を実施するための最良の形態】
【００２２】
次に、図面に基づいて、この発明を実施するための最良の実施の形態の階段用床構造を説明する。
【００２３】
この階段用床構造１は、図５に示すように、建物としてのユニット建物Ａの２階内に設置された階段２の上り口２ａ側に位置し、この階段２の一対の階段桁３、３（図１参照）を支持するようになっている。
【００２４】
なお、階段桁３、３とは、階段２の幅方向両側部にそれぞれ配置され、上階の床面と下階の床面との間に架け渡されると共に、この階段桁３、３同士を連結する図示しない根太材及びこの根太材の上部に設置される図示しない階段受け部材を支持するものである。
【００２５】
また、ユニット建物Ａの１階内に設置された階段２´は、通常知られている床面７ａに支持されている。
【００２６】
まず、このユニット建物Ａの構成から説明すると、このユニット建物Ａは、複数の箱型の建物ユニットＡ１、Ａ２、Ａ３を上下方向に順に連結することで構成されている。
【００２７】
この建物ユニットＡ１、Ａ２、Ａ３は、構造体である床梁４と天井梁５と柱６とによって形成されるラーメン構造を主構造としており、上階に位置する建物ユニットＡ１と下階に位置する建物ユニットＡ２との間及び上階に位置する建物ユニットＡ２と下階に位置する建物ユニットＡ３との間は、構造的には床梁４と天井梁５又は上下の柱６、６間で、ボルト（図示せず）を介して連結されている。
【００２８】
そして、階段２は２階に位置する建物ユニットＡ２内に設けられ、この階段２の下方は床面７が一部切り欠かれた吹抜け領域８となっている。
【００２９】
階段用床構造１は、図１〜図３に示すように、建物ユニットＡ２の床梁４から片持ち状態で延在された一対の床フレーム１０、１０と、この床フレーム１０、１０上に位置する床板部材２０とを有している。
【００３０】
床フレーム１０は、ここでは重量鉄骨である厚みが６ｍｍの溝型鋼によって構成され、一端が平板状の鋼板により形成された取付板１１に溶接固定されている。なお、溝型鋼の床フレーム１０は、上方に向かって開放した状態で固定されている。また、「重量鉄骨」とは、厚さ６ｍｍ以上の構造用鋼材のことである。
【００３１】
取付板１１は、複数のボルト・ナットＢ１・・・によって床梁４に固定されている。これにより、一対の床フレーム１０、１０が床梁４から片持ち状態で張り出すこととなる。
【００３２】
また、この一対の床フレーム１０、１０は、連結部材である連結板１２によって互いに連結されている。
【００３３】
この連結板１２は、平板状の鋼板の両端部１２ａ、１２ａが同方向に折り曲げられると共に、中間部に一対のリブ板１２ｂ、１２ｂが溶接固定されることで形成されている。
【００３４】
また、この連結板部１２には、階段桁３、３を固定するための後述する複数のボルト・ナットＢ４・・・がそれぞれ取り付けられる複数の長穴１２ｃ・・・が形成されている。
【００３５】
そして、この連結板１２は、一方の端部１２ａと一方のリブ板１２ｂとの間に一方の床フレーム１０のフランジ部１０ａ、１０ａが入り込み、他方の端部１２ａと他方のリブ板１２ｂとの間に他方の床フレーム１０のフランジ部１０ａ、１０ａが入り込んだ状態で床フレーム１０、１０上に載置される。そして、複数のボルト・ナットＢ２・・・により、端部１２ａと一方のフランジ部１０ａとが固定され、リブ板１２ｂと他方のフランジ部１０ａとが固定され、一対の床フレーム１０、１０がこの連結板１２を介して互いに連結される。
【００３６】
なお、連結板１２が床フレーム１０、１０に固定されると、この連結板１２に形成された複数の長穴１２ｃ・・・は、いずれか一方の床フレーム１０の上方に位置することとなる。
【００３７】
また、ここでは、床フレーム１０、１０の自由端となっている先端側から連結板１２の端部が突出している。
【００３８】
さらに、連結板１２の一方の端部１２ａの外側には、一対のボルト・ナットＢ３、Ｂ３によってＬ型アングル１３が固定されている。
【００３９】
床板部材２０は、合板２１と、この合板２１の上面に貼り付けられた化粧板２２とを有し、図示しない固定手段によって床梁４及び後述する化粧構造３０に固定されている。
【００４０】
また、この床板部材２０には、床フレーム１０、１０のそれぞれに対向する部分に一対の開口２３、２３が形成されている。
【００４１】
そして、一対の階段桁３、３の下端部３ａ、３ａは、それぞれの開口２３、２３を貫通し、複数のブラケット２４・・・を介して複数のボルト・ナットＢ４・・・により連結板１２に固定されている。
【００４２】
これにより、一対の階段桁３、３は、連結板１２を介して一対の床フレーム１０、１０にそれぞれ固定される。
【００４３】
ここで、複数のボルト・ナットＢ４・・・が取り付けられる複数の長穴１２ｃ・・・は、一対の床フレーム１０、１０のいずれかに対応した位置に形成されているので、階段桁３、３の下端部３ａ、３ａは、床フレーム１０、１０に対応した位置に固定されることとなる。
【００４４】
なお、２４ａは、ブラケット２４と連結板１２との間に配置された緩衝用のゴム材である。
【００４５】
さらに、この階段用床構造１の下側は、図５に示すように、化粧構造３０に覆われている。
【００４６】
この化粧構造３０は、図４に示すように、階段用床構造１の両側にそれぞれ位置する一対の側部フレーム３１、３１と、階段用床構造１の先端側から下側にかけて位置する中央フレーム３２と、この側部フレーム３１、３１又は中央フレーム３２を覆う多数の化粧パネル３３・・・とから構成される。
【００４７】
側部フレーム３１、３１及び中央フレーム３２は、階段用床構造１の形状に応じて木材等により形成された枠組みである。なお、これらの形状は、階段用床構造１の周囲を覆うことができれば適宜変更することが可能である。また、側部フレーム３１、３１及び中央フレーム３２は、図示しない固定手段により床梁４及びＬ型アングル１３等に固定される。
【００４８】
化粧パネル３３は、ここでは石膏ボードにより形成され、側部フレーム３１、３１又は中央フレーム３２の形状に合わせて適宜形状変更される。また、各化粧パネル３３は、図示しない釘等により側部フレーム３１、３１又は中央フレーム３２に固定される。
【００４９】
次に、この発明の階段用床構造１の作用について説明する。
【００５０】
この階段用床構造１を施工するには、まず、取付板１１に一対の床フレーム１０、１０の一端をそれぞれ溶接固定する。
【００５１】
次に、この一対の床フレーム１０、１０上に連結板１２を載置してから、床フレーム１０、１０のそれぞれのフランジ部１０ａ、１０ａと連結板１２の両端部１２ａ、１２ａ及びリブ板１２ｂ、１２ｂとを、ボルト・ナットＢ２・・・によって固定する。
【００５２】
そして、あらかじめ上下方向に連結されて上階に位置する建物ユニットＡ２の床梁４の側面に、複数のボルト・ナットＢ１・・・によって取付板１１を固定する。
【００５３】
これにより、床フレーム１０が、建物ユニットＡ２を構成する床梁４から片持ち状態で延在されることとなる。
【００５４】
このように、床フレーム１０、１０が施工された後に、連結板１２にブラケット２４・・・を介してボルト・ナットＢ４・・・によって一対の階段桁３、３が固定される。
【００５５】
そして、階段用床構造１の両側及び先端側から下側にかけて化粧構造３０で覆い、その後、階段桁３、３を取り囲むように床板部材２０が設けられる。なお、この床板部材２０は、階段桁３、３の下端部３ａ、３ａが開口２３、２３を貫通するように、階段桁３、３の周囲に設けられる。
【００５６】
これにより、床フレーム１０、１０上に床板部材２０が位置して、床フレーム１０、１０及び床板部材２０により階段２の上り口２ａ側の床面が形成される。
【００５７】
このように、建物ユニットＡ２の床梁４から片持ち状態で張り出した床フレーム１０、１０の上だけに床板部材２０が位置することとなり、これらの床フレーム１０、１０及び床板部材２０で構成される階段２の上り口２ａ側の床面の範囲が小さくなり、この床面の面積を抑制することが可能となる。
【００５８】
また、床面の範囲が小さくなることで、階段２の下方に位置する吹抜け領域８が床面によって狭められることがなくなり、この吹抜け領域８を狭めることなく階段２を設置することができる。
【００５９】
そして、この実施の形態では、一対の床フレーム１０、１０が連結板１２によって連結されているので、階段２から伝達される荷重や振動等をすべての床フレーム１０、１０によって分散して支持することができ、より安定して階段２を支持することが可能となる。
【００６０】
さらに、この実施の形態では、床フレーム１０、１０が、重量鉄骨である厚み６ｍｍの溝型鋼によって構成されているので、階段２を支持するための十分な強度を容易に確保することができる。
【００６１】
そして、この実施の形態では、階段桁３、３の下端部３ａ、３ａが床フレーム１０、１０に対応した位置に固定されているので、より安定した状態で階段２を支持することが可能となる。
【実施例】
【００６２】
以下、前記実施の形態とは別の形態の階段用床構造５０について説明する。なお、前記実施の形態で説明した部分と同一ないし均等な部分の説明については同一符号を付して説明する。
【００６３】
この階段用床構造５０は、図６〜図８に示すように、床梁４から片持ち状態で延在された一対の床フレーム６０、６０と、この床フレーム６０、６０上に位置する床板部材７０と、床フレーム６０、６０のそれぞれに設けられた一対のダンパー（振動抑制装置）８０、８０とを有している。
【００６４】
床フレーム６０は、ここでは重量鉄骨である厚みが６ｍｍのＨ型鋼によって構成され、一端を閉鎖するように平板状の取付板６５が溶接固定されている。
【００６５】
そして、取付板６５は、複数のボルト・ナットＢ１・・・によって床梁４に固定され、これにより一対の床フレーム６０、６０が床梁４から片持ち状態で張り出すこととなる。
【００６６】
また、ここでは、一方の床フレーム６０の側面が、床梁４と直交する他の床梁４´に補強アーム６６を介して連結されている。
【００６７】
補強アーム６６はクランク状に折曲された鋼板により構成され、一端部が床フレーム６０の一方のフランジ部６２に沿い、他端部が他の床梁４´の側面に沿っている。そして、この補強アーム６６は、複数のボルト・ナットＢ６・・・によりフランジ部６２及び他の床梁４´に固定されている。
【００６８】
さらに、各床フレーム６０、６０のそれぞれのウエブ部６１、６１の自由端となっている先端側には、矩形状に切り欠かれた切欠部６１ａ、６１ａが形成されており、一対のダンパー８０、８０が各切欠部６１ａ、６１ａの内側にそれぞれ配置されている。
【００６９】
一対のダンパー８０、８０は、それぞれ切欠部６１ａの周縁部６１ｂ上に取付フランジ８１が位置するように載置され、ボルト・ナットＢ５・・・により固定されている。
【００７０】
このダンパー８０は、ここでは一般的に知られたビスカスマウントであり、図示しないコイルスプリングを内蔵したダンパー本体８０ａと、このダンパー本体８０ａから上方に向かって突出すると共に、軸方向に出没可能な支持軸８２とを有している。そして、各ダンパー８０の支持軸８２は、連結部材である連結板９０によって互いに連結されている。
【００７１】
連結板９０は、平板状の鋼板により構成されて支持軸８２が貫通可能な一対の貫通孔９１、９１が形成されている。一方、貫通孔９１、９１を貫通する支持軸８２には、ゴム製のパッキン部材８３が嵌着されている。そして、このパッキン部材８３によりダンパー８０の支持軸８２が貫通孔９１に嵌合し、ダンパー８０と連結板９０とが固定される。
【００７２】
なお、パッキン部材８３は、貫通孔９１が嵌合する中間部の外径よりも上下端部の外径の方が大きくなるように形成されており、外径が大きい上下端部で連結板９０を挟み込むようになっている。
【００７３】
さらに、貫通孔９１から突出した支持軸８２、８２の先端は、それぞれ階段桁３、３の下端部３ａ、３ａ内に挿入固定されている。
【００７４】
そして、各階段桁３、３は、複数のブラケット２４・・・を介してボルト・ナットＢ４・・・により連結板９０に固定されている。
【００７５】
これにより、一対の階段桁３、３は、連結板９０及びダンパー８０を介して一対の床フレーム６０、６０にそれぞれ固定されることとなる。
【００７６】
床板部材７０は、合板７１と、この合板７１の上面に貼り付けられた化粧板７２とを有しており、図示しない固定手段によって床梁４、４´及び化粧構造（図示せず）に固定されている。
【００７７】
そして、この床板部材７０には、一対の階段桁３、３の下端部３ａ、３ａが貫通する一対の開口７３、７３が形成されている。
【００７８】
このように構成された実施例に係る階段用床構造５０では、振動抑制装置であるダンパー８０を介して、一対の階段桁３、３が一対の床フレーム６０、６０のそれぞれに固定されている。
【００７９】
これにより、階段２から振動が伝達されると、ダンパー８０の支持軸８２がこの振動を打ち消すように出没する。
【００８０】
そのため、振動を効果的に抑制することができ、階段特性の異なる階段２を取り付けることが可能となる。
【００８１】
また、ここでは、ダンパー８０がＨ型鋼によって構成された床フレーム６０のウエブ部６１に支持され、このダンパー８０の下方が開放している。
【００８２】
そのため、ダンパー８０が階段２から伝達される振動によって上下方向に大きく移動しても、床フレーム６０に干渉することがなく、振動を十分に抑制することが可能となる。
【００８３】
なお、この他の構成及び作用効果については、前記実施の形態とほぼ同様であるため説明を省略する。
【００８４】
以上説明したように、前記実施の形態に係る階段用床構造１では、建物ユニットＡ２を構成する床梁４から片持ち状態で延在された床フレーム１０、１０と、この床フレーム１０、１０上に位置する床板部材２０とを有し、一対の階段桁３、３の下端部３ａ、３ａは、それぞれ床板部材２０を貫通すると共に、床フレーム１０、１０に固定されている。
【００８５】
これにより、床板部材２０が片持ち状態で張り出した床フレーム１０、１０の上のみに位置するようになっている。
【００８６】
そのため、これらの床フレーム１０、１０及び床板部材２０によって構成される階段２の上り口２ａ側の床面の範囲を小さくすることができる。
【００８７】
特に吹抜け領域８の上方に階段２を設置する場合であっても、この吹抜け領域８を狭めることなく階段２を設置することが可能となる。
【００８８】
また、この階段用床構造１では、連結部材である連結板１２によって一対の床フレーム１０、１０が互いに連結されている。
【００８９】
これにより、階段２から伝達される荷重や振動等をすべての床フレーム１０、１０によって分散して支持することができ、より安定して階段２を支持することが可能となる。
【００９０】
なお、前記実施例に係る階段用床構造５０においても、一対の床フレーム６０、６０が連結板９０によって互いに連結されており、振動等をこれら一対の床フレーム６０、６０で分散して支持することができ、より安定して階段２を支持することが可能となる。
【００９１】
さらに、前記実施例に係る階段用床構造５０では、床フレーム６０、６０に振動抑制装置であるダンパー８０が設けられ、一対の階段桁３、３の下端部３ａ、３ａがダンパー８０、８０を介して床フレーム６０、６０に固定されている。
【００９２】
これにより、階段２の振動をダンパー８０、８０が緩衝し、効果的に抑制することが可能となる。また、階段２の振動を抑えられるので、階段特性の異なる階段を設置することができる。
【００９３】
特に、前記実施例に係る階段用床構造５０では、ダンパー８０が設けられた一対の床フレーム６０、６０が連結板９０によって連結されているので、階段桁３、３のそれぞれから伝達される階段２の昇降時の振動をすべての双方のダンパー８０、８０によって抑制することが可能となる。
【００９４】
そして、前記実施の形態に係る階段用床構造１では、床フレーム１０、１０を重量鉄骨に準じた強度を有する溝型鋼により構成されている。これにより、階段２を支持するための十分な強度を容易に確保することができる。
【００９５】
なお、前記実施例に係る階段用床構造５０においても、床フレーム６０、６０が重量鉄骨に準じた強度を有するＨ型鋼により構成されているので、階段２を支持するための十分な強度を容易に確保することができる。
【００９６】
以上、この発明にかかる実施の形態を図面により詳述してきたが、具体的な構成は上述の実施の形態に限らない。この発明の要旨を逸脱しない範囲の設計の変更等はこの発明に含まれる。
【００９７】
例えば、前記実施の形態及び実施例では、床フレーム１０、１０又は６０、６０は、それぞれ一対設けられると共に、連結板１２又は９０によって連結されているが、これに限らない。
【００９８】
一対の床フレームのそれぞれに振動抑制装置であるダンパーを設けると共に、この一対の床フレームを連結しない状態で、それぞれにダンパーを介して階段桁３、３を固定してもよい。
【００９９】
このように、独立した一対の床フレームのそれぞれにダンパーを介して階段桁３、３を固定することにより、階段形状や昇降動作の個人差等により、それぞれの階段桁３、３に不均等に作用した荷重や振動等を分散せずに個別に吸収することができる。
【０１００】
そして、階段昇降時に生じる振動をより抑制することができると共に、各床フレームに作用する荷重を小さくすることが可能となる。
【０１０１】
また、前記実施の形態及び実施例では、床フレーム１０、１０又は６０、６０がそれぞれ一対設けられているが、必要な強度に応じて適宜数量を変化させることができる。
【０１０２】
また、床フレーム１０、１０又は６０、６０を構成する鋼材は、重量鉄骨に準ずる強度を有していればよく、溝型鋼やＨ型鋼に限定されない。
【０１０３】
さらに、階段桁３、３が床フレーム１０、１０又は６０、６０に直接固定されていてもよい。
【図面の簡単な説明】
【０１０４】
【図１】本発明の最良の実施の形態に係る階段用床構造を示す一部を破断した正面図である。
【図２】図１に示す階段用床構造において床板部材及び階段桁を外した状態を示す平面図である。
【図３】図１に示す階段用床構造の一部を破断した側面図である。
【図４】図１に示す階段用床構造と、これを覆う化粧構造との位置関係を示した分解斜視図である。
【図５】図１に示す階段用床構造を備えたユニット建物を示す模式図である。
【図６】本発明の実施例に係る階段用床構造を示す一部を破断した正面図である。
【図７】図６に示す階段用床構造において床板部材及び階段桁を外した状態を示す平面図である。
【図８】図６に示す階段用床構造の一部を破断した側面図である。
【符号の説明】
【０１０５】
１          階段用床構造
２          階段
２ａ        上り口
３          階段桁
３ａ        下端部
４          床梁（構造体）
１０        床フレーム
２０        床板部材
Ａ２        建物ユニット（建物）
【図１】
2008291425.tif 000003
【図２】
2008291425.tif 000004
【図３】
2008291425.tif 000005
【図４】
2008291425.tif 000006
【図５】
2008291425.tif 000007
【図６】
2008291425.tif 000008
【図７】
2008291425.tif 000009
【図８】
2008291425.tif 000010